(57)【要約】【課題】複数の情報領域が設けられている画像を複数の視認者によって視認されるときに、拡大または縮小する情報領域を適切に判定することができる表示装置、及び表示装置の画像表示方法を提供する。【解決手段】画像処理部１６０は、画像データから文字を検出することで画像の情報領域を定義する。カメラ映像処理部１４０は、カメラ装置３００が撮影した画像の視認者の顔映像を入力し、視認者の視線情報、視認者との距離情報を取得する。情報領域拡大縮小判定処理部１５０は、視線情報と距離情報に基づいて情報領域を拡大したときに文字を確認できる人数の増加数を算出し、文字を確認できる人数が増加する情報領域を拡大と判定し、それ以外の情報領域を縮小と判定する判定結果と情報領域を拡大する優先順位を取得する。画像処理部１６０は、判定結果と情報領域を拡大する優先順位により情報領域の拡大または縮小した画像を画像表示パネル１７０に表示する。【選択図】図１
2014063005.tif 000002
【特許請求の範囲】
【請求項１】
画像から情報領域を定義する情報領域定義手段と、
前記画像を視認している視認者の顔映像を入力し、前記顔映像から視線情報と距離情報を取得するカメラ映像処理手段と、
前記視線情報と前記距離情報に基づいて前記情報領域を拡大したときに視認可能となる視認者が増加する前記情報領域を拡大と判定し、前記情報領域を拡大したときに視認可能となる視認者が増加しない前記情報領域を縮小と判定する情報領域拡大縮小判定手段と、
前記情報領域拡大縮小判定手段により拡大と判定された前記情報領域を拡大し、前記情報領域拡大縮小判定手段により縮小と判定された前記情報領域を縮小する画像処理手段と、
を備えることを特徴とする表示装置。
【請求項２】
前記情報領域拡大縮小判定手段は、前記情報領域に対して前記情報領域の周囲の余白部分を使用して前記情報領域を最大に拡大できる拡大限界値を算出することを特徴とする請求項１に記載の表示装置。
【請求項３】
前記画像処理手段は、縮小と判定された前記情報領域を最も遠くにいる視認者が視認可能または初期値のサイズまで縮小することを特徴とする請求項１または請求項２に記載の表示装置。
【請求項４】
前記情報領域定義手段は、前記画像の文字を検出することで情報領域を定義することを特徴とする請求項１から請求項３のいずれか１項に記載の表示装置。
【請求項５】
画像から情報領域を定義する情報領域定義工程と、
前記画像を視認している視認者の顔映像を入力し、前記顔映像から視線情報と距離情報を取得するカメラ映像処理工程と、
前記視線情報と前記距離情報に基づいて前記情報領域を拡大したときに視認可能となる視認者が増加する前記情報領域を拡大と判定し、前記情報領域を拡大したときに視認可能となる視認者が増加しない前記情報領域を縮小と判定する情報領域拡大縮小判定工程と、
前記情報領域拡大縮小判定工程により拡大と判定された前記情報領域を拡大し、前記情報領域拡大縮小判定工程により縮小と判定された前記情報領域を縮小する画像処理工程と、
を備えることを特徴とする表示装置の画像表示方法。
【発明の詳細な説明】
【技術分野】
【０００１】
本発明は、多数の人からの視線が向けられ確認される（以下、「視認される」という）画像を表示する表示装置に係り、特に画像のひとまとまり情報の領域（以下、「情報領域」という）の表示を制御する表示装置に関する。
【背景技術】
【０００２】
近年、デジタルサイネージ（電子看板）が表示変更の容易性などから注目されており、街頭などへの設置数が増加してきている。また、会議、プレゼンテーション、または社内掲示板として使用するために、オフィスなどで薄型大画面を備えた電子黒板の設置数が増加してきている。このようなデジタルサイネージや電子黒板などの表示装置の画像には、複数の情報領域が設けられる。例えば、デジタルサイネージが百貨店のエントランスに設置される場合には、このデジタルサイネージには、催しもの会場の情報、レストラン街の情報、及び各階の奉仕品情報などが情報領域に表示される。このように複数の情報領域が表示されるときに、特に視認者にアピールしたい情報領域を拡大して表示、または複数の情報領域を順番に拡大して表示している。しかし、視認者が拡大された情報領域に興味がないときは、拡大されていない情報領域を視ることなく通り過ぎてしまうことがある。また、視認者が拡大されている情報領域を視ているときに、視ている情報領域が消去され次の情報領域が拡大されて表示されてしまうことがある。この対策として、最も視認されている情報領域を特定することでその情報領域を拡大して表示する方法が用いられるようになった。
【０００３】
表示装置において、視認者に対して必要に応じて情報領域を拡大して表示する技術として特許２０１２−４２５０７号公報（特許文献１）と特開２０１２−１３４８３６号公報（特許文献２）を挙げることができる。特許文献１に開示の技術では、カメラを用いて表示装置を見ている人を判別し、興味を持った人に対しては興味を持ったコンテンツまたは関連コンテンツを再度表示することで全ての情報を提供し、また、興味を持って近づいた人やその他不特定多数の人が表示内容を視認できるように表示装置からの距離に応じて表示サイズを調整する映像表示装置が記載されている。また、特許文献２に開示の技術では、コンテンツ表示装置に分割された画面を表示し、複数の視聴者がどの画面を視聴しているのかを解析し、最も視聴されている画面を特定することで、当該画面を拡大表示し、また、視聴者の性別や年代と天候データからより適切なコンテンツを表示させるコンテンツ表示装置、その制御方法及びプログラムが記載されている。
【先行技術文献】
【特許文献】
【０００４】
【特許文献１】特許２０１２−４２５０７号公報
【特許文献２】特開２０１２−１３４８３６号公報
【発明の概要】
【発明が解決しようとする課題】
【０００５】
特許文献１に開示の技術では、特定の視聴者に対し表示内容を視認できるように表示装置からの距離に対応して表示サイズを調整するため、多数の視聴者を対象としている広告などの表示装置に適用することができない。また、特許文献２に開示の技術では、視聴している人の割合の低い情報領域が表示されない場合がある。このように、従来の技術では、多数の視認者を対象にして視認者と画像を表示する表示装置との距離に応じて情報領域を拡大したり縮小したりして表示することができない、また少数の視認者が見ている情報領域が削除されるといった問題があった。
【０００６】
本発明はこのような状況に鑑みてなされたものであり、上記課題を解決できる表示装置を提供することを目的とする。
【課題を解決するための手段】
【０００７】
本発明の表示装置は、画像から情報領域を定義する情報領域定義手段と、前記画像を視認している視認者の顔映像を入力し、前記顔映像から視線情報と距離情報を取得するカメラ映像処理手段と、前記視線情報と前記距離情報に基づいて前記情報領域を拡大したときに視認可能となる視認者が増加する前記情報領域を拡大と判定し、前記情報領域を拡大したときに視認可能となる視認者が増加しない前記情報領域を縮小と判定する情報領域拡大縮小判定手段と、前記情報領域拡大縮小判定手段により拡大と判定された前記情報領域を拡大し、前記情報領域拡大縮小判定手段により縮小と判定された前記情報領域を縮小する画像処理手段と、を備えることを特徴としている。
また、本発明の表示装置の前記情報領域拡大縮小判定手段は、前記情報領域に対して前記情報領域の周囲の余白部分を使用して前記情報領域を最大に拡大できる拡大限界値を算出することを特徴としている。
また、本発明の表示装置の前記画像処理手段は、縮小と判定された前記情報領域を最も遠くにいる視認者が視認可能または初期値のサイズまで縮小することを特徴としている。
また、本発明の表示装置の前記情報領域定義手段は、前記画像の文字を検出することで情報領域を定義することを特徴としている。
また、本発明の表示装置の前記情報領域定義手段は、前記画像のコンテンツ情報により情報領域を定義することを特徴としている。
また、本発明の表示装置の前記画像処理手段は、前記画像の前記情報領域の文字を予め決められた時間当たりの比率で拡大または縮小することを特徴としている。
また、本発明の表示装置は、前記画像が表示されるときに、情報領域定義手段は前記情報領域の定義を行うことを特徴としている。
本発明の表示装置の画像表示方法は、画像から情報領域を定義する情報領域定義工程と、前記画像を視認している視認者の顔映像を入力し、前記顔映像から視線情報と距離情報を取得するカメラ映像処理工程と、前記視線情報と前記距離情報に基づいて前記情報領域を拡大したときに視認可能となる視認者が増加する前記情報領域を拡大と判定し、前記情報領域を拡大したときに視認可能となる視認者が増加しない前記情報領域を縮小と判定する情報領域拡大縮小判定工程と、前記情報領域拡大縮小判定工程により拡大と判定された前記情報領域を拡大し、前記情報領域拡大縮小判定工程により縮小と判定された前記情報領域を縮小する画像処理工程と、を備えることを特徴としている。
【発明の効果】
【０００８】
本発明により、複数の情報領域が設けられている画像を複数の視認者によって視認されるときに、視認者と画像を表示する表示装置との距離に応じて拡大または縮小する情報領域を適切に判断することができる表示装置、及び表示装置の画像表示方法を提供する。
【図面の簡単な説明】
【０００９】
【図１】本発明の実施形態に係る表示装置の構成を示す図である。
【図２】本発明の実施形態に係る画像表示制御処理のフローチャートである。
【図３】本発明の実施形態に係る画像の情報領域が拡大された例を示す図である。
【図４】本発明の実施形態に係る視認者の人数とその距離によって画像の情報領域が拡大または縮小された例を示す図である。
【発明を実施するための形態】
【００１０】
以下、本発明を実施するための形態（以下、「実施形態」という）について、説明する。本発明の表示装置１００は、視認者が複数の場合、画像が表示される画像表示パネル１７０において、画像の情報領域の拡大または縮小を下記の手順で行うものである。
（１）情報領域の拡大手順
まず、各々の視認者の顔画像をカメラで撮影し、視認者の瞳孔の位置、角膜の反射点の位置などをもとに、視認者の視線の方向、及び視認者と画像表示パネル１７０との距離を算出する。次に、各々の情報領域の周囲にある背景などになっている余白部分を計算し、その余白部分を使用して各々の情報領域の拡大限界値を算出する。この拡大限界値は、情報領域の文字フォントで表される。次に、視認者の視線の方向、及び視認者と画像表示パネル１７０との距離により、各々の情報領域を拡大する前の文字を、その情報領域の視認者が標準視力であるときに、拡大する前の文字を視認可能である人数を算出する。ここでいう標準視力とは、例えば、国内で自動車の運転に必要とされる視力である。また、同様に、その情報領域の視認者が標準視力であるときに、各々の情報領域の文字を拡大限界値に拡大したとき視認可能である視認者の人数を算出する。拡大限界値に拡大した文字を視認可能である視認者の人数から拡大する前の文字を視認可能である視認者の人数を減算することで、拡大限界値に拡大した情報領域の文字を視認可能となる視認者の人数の増加数を算出する。次に、拡大した情報領域の文字を視認できる視認者の人数の増加数が一番多い情報領域を拡大限界値に拡大する。以降、上記を情報領域が拡大できなくなる、または全ての情報領域を拡大するまで繰り返す。
（２）情報領域の縮小手順
まず、（１）において、拡大限界値に拡大した文字を視認可能である視認者の人数から拡大する前の文字を視認可能である視認者の人数を減算したときに、拡大限界値に拡大した情報領域の文字を視認できる視認者の人数が増加しない情報領域を検出する。次に、その情報領域から最も遠い所にいる視認者が視認可能となるサイズの文字または予め決められた初期サイズの文字のどちらか大きい方の文字となるように情報領域を縮小する。
【００１１】
以下、図面を参照して実施形態における表示装置１００の各機能について、図１を用いて説明する。表示装置１００は、画像記憶部１１０、メモリ部１２０、制御部１３０、カメラ映像処理部１４０、情報領域拡大縮小判定処理部１５０、画像処理部１６０、及び画像を表示する画像表示パネル１７０から構成されている。制御部１３０には、画像表示制御処理部１３０ａが設けられている。また、表示装置１００には、外部に保存または外部から送信される画像データを入力する画像入力装置２００、表示装置１００の視認者を撮影する外付けカメラ装置３００が接続されている。
【００１２】
画像記憶部１１０は、フラッシュメモリ等からなり画像表示パネル１７０に表示する画像の画像データが記憶される。メモリ部１２０は、表示装置１００の基本機能を実現するためのプログラム、制御部１３０が実行するアプリケーションプログラムやこのプログラムで用いられるデータを記憶している。制御部１３０は、表示装置１００全体の制御を行う。
制御部１３０の画像表示制御処理部１３０ａは、カメラ映像処理部１４０、情報領域拡大縮小判定処理部１５０、及び画像処理部１６０を制御することで、画像表示パネル１７０に表示される画像に設けられる各々情報領域について、複数の視認者がいるときに、より多くの視認者が視認可能となるように各々情報領域の拡大または縮小を行う。画像表示処理部１３０ａが実行する画像表示処理については、後述する。
カメラ映像処理部１４０は、画像表示制御処理部１３０ａからの指令により、カメラ装置３００が撮影した画像表示パネル１７０の画像を視認している視認者の顔の映像（以下、「顔映像」という）を入力し、画像を視認している視認者の視線の情報（以下、「視線情報」という）、画像を視認している視認者と画像表示パネル１７０との距離の情報（以下、「距離情報」という）を取得し、この視線情報と距離情報を情報領域拡大縮小判定処理部１５０に出力する。
情報領域拡大縮小判定処理部１５０は、画像表示制御処理部１３０ａからの指令によりカメラ映像処理部１４０から入力する視線情報と距離情報に基づいて、全ての情報領域について拡大または縮小とするかの判定、また情報領域を拡大する優先順位の計算を行い、
判定結果と優先順位を画像処理部１６０に出力する。
画像処理部１６０は、画像表示制御処理部１３０ａからの指令により画像記憶部１１０または画像入力装置２００から画像データを入力し、画像データを復号して画像表示パネル１７０に画像を表示する。画像処理部１６０は、画像データから文字を検出することで画像の情報領域を定義する。また、画像処理部１６０は、情報領域拡大縮小判定処理部１５０から出力される判定結果と優先順位により優先順位の最も高い情報領域を拡大し、また拡大しない情報領域を縮小して画像表示パネル１７０に表示する。
【００１３】
次に、本発明の実施形態における図１に示す画像表示制御処理部１３０ａが実行する画像表示制御処理について説明する。図２に画像表示制御処理のフローチャートを示す。表示装置１００の電源が投入されると、制御部１３０により画像表示制御処理部１３０ａが起動され、画像表示制御処理部１３０ａが画像表示制御処理を開始する。以下、図２に示す画像表示制御処理のフローチャートに示すステップ順に説明する。
【００１４】
〈画像表示制御処理〉
（ステップＳ１０１）
まず、画像表示制御処理部１３０ａは、画像処理部１６０に対して画像記憶部１１０または画像入力装置２００のどちらから画像データを入力するかを指定し、画像データを画像表示パネル１７０に表示する指令を出力する。画像処理部１６０は、この指令を入力すると指定された画像記憶部１１０または画像入力装置２００から画像データを入力すると復号し、復号した画像データを画像表示パネル１７０に出力する。
【００１５】
（ステップＳ１０２）
次いで、画像表示制御処理部１３０ａは、画像処理部１６０に対して画像データから文字を検出する指令を出力する。画像処理部１６０は、この指令を入力すると画像データから文字を検出することで画像の情報領域を定義する。
画像の情報領域を定義する方法としては、例えば、画像データと文字データをパターンマッチングで比較して文字だけを検出し、近傍にある同程度のサイズの文字を纏めて情報領域とする方法や、検出した文字が枠に囲まれていたら枠に囲まれている部分を情報領域とする方法などがある。
【００１６】
（ステップＳ１０３）
次いで、画像表示制御処理部１３０ａは、カメラ映像処理部１４０に対して視線情報と距離情報を取得する指令を出力する。カメラ映像処理部１４０は、カメラ装置３００から画像表示パネル１７０に対する視認者の顔映像を入力し、顔の瞳孔の位置、角膜の反射点の位置などをもとに視線情報と距離情報を取得すると、視線情報と距離情報を情報領域拡大縮小判定処理部１５０に出力する。
【００１７】
（ステップＳ１０４）
次いで、画像表示制御処理部１３０ａは、情報領域拡大縮小判定処理部１５０に対してステップＳ１０２で定義した画像の情報領域ごとに文字の拡大限界値を算出する指令を出力する。情報領域拡大縮小判定処理部１５０は、この指令を入力すると、画像の情報領域ごとに文字の拡大限界値を算出する。拡大限界値は、各々の情報領域に対して余白を使用した拡大可能な最大の文字のフォントサイズを求めるものである。
拡大限界値である拡大の目標値は、例えば下記手順で求めることができる。
まず、各々の情報領域に対して余白を使用して拡大したときにおける情報領域の文字の最大のフォントサイズfs_maxを求める。各々の情報領域に対し視聴者p、視聴者と画像の距離l(p)、標準視力の閾値th_see、フォントサイズfsとすると、
fs_max / l(p) ≧ th_see
となるpのうちl(p)が最大のpを求め、p_maxとする。これより
fs / l(p_max) = th_see
となるfsが拡大の目標値となる。
上記のように視認可能であるか否かは、「fs(フォントサイズ)／l(距離)」と標準視力の閾値th_seeとを比較することで求めることができる。視力とは、距離に対する最小視角（最小分離域）を測定したもので、通常日本では、５mの距離でフォントサイズが７．５mmのランドルト環が視認できれば視角1分となり、１．０に相当する。例えば、国内で自動車の運転に必要とされる視力０．７を標準視力とすると、標準視力の視角は1／０．７分となり、フォントサイズは（７．５mm／０．７）となる。また、距離は５mとなるので、標準視力の閾値は、（７．５mm／０．７）／５mとなる。
【００１８】
（ステップＳ１０５）
次いで、画像表示制御処理部１３０ａは、情報領域拡大縮小判定処理部１５０に対して拡大限界値まで拡大したときに拡大した情報領域の文字を確認できる人数の増加数を算出する指令を出力する。情報領域拡大縮小判定処理部１５０は、この指令を入力すると、ステップＳ１０３にてカメラ映像処理部１４０が取得した視線情報と距離情報を入力し、視線情報と距離情報に基づいて拡大した情報領域の文字を確認できる人数の増加数を算出する。
拡大した情報領域の文字を確認できる人数の増加数を算出する方法としては、例えば、視認者の視線の方向、及び視認者と画像表示パネル１７０との距離により、各々の情報領域を拡大する前の文字を、その情報領域に視線を向けている人が標準視力であるとしたときに、拡大する前の文字を視認可能である視認者の人数を算出する。また、同様に、各々の情報領域を最大に拡大したときの文字を、その情報領域に視線を向けている人が標準視力であるときに、拡大した文字を視認可能である視認者の人数を算出する。拡大した文字を視認可能である視認者の人数から拡大する前の文字を視認可能である人数を減算することで、拡大した情報領域の文字を確認できる視認者の増加数を算出する。
【００１９】
（ステップＳ１０６）
次いで、画像表示制御処理部１３０ａの指令により情報領域拡大縮小判定処理部１５０は、情報領域を拡大すると文字を視認可能となる視認者の人数が増加する情報領域があるかを判定する。情報領域を拡大すると文字を視認可能となる視認者の人数が増加する情報領域があるとき（ステップＳ１０６のＹｅｓ）は、ステップＳ１０７に進む。情報領域を拡大すると文字を視認可能となる視認者の人数が増加する情報領域がないとき（ステップＳ１０６のＮｏ）は、ステップＳ１０９に進む。
【００２０】
（ステップＳ１０７）
ステップＳ１０６のＹｅｓにおいて、画像表示制御処理部１３０ａは、情報領域を拡大すると文字を視認可能となる人数が増加する情報領域があるときには、情報領域拡大縮小判定処理部１５０に対して情報領域ごとに拡大する優先順位を計算する指令を出力する。情報領域拡大縮小判定処理部１５０は、この指令を入力すると、情報領域ごとに拡大する優先順位を計算し、計算した優先順位を画像処理部１６０に出力する。
【００２１】
（ステップＳ１０８）
次いで、画像表示制御処理部１３０ａは、画像処理部１６０に対してステップＳ１０７で計算した優先度が最も高い情報領域を拡大限界値まで拡大する指令を出力し、ステップＳ１０４に戻る。画像処理部１６０は、この指令を入力すると、優先度が最も高い情報領域を拡大限界値まで拡大する。
【００２２】
（ステップＳ１０９）
ステップＳ１０６のＮｏにおいて、画像表示制御処理部１３０ａは、カメラ映像処理部１４０に対して拡大限界値に拡大しなかった全ての情報領域に対して最も遠い所にいる視認者と画像表示パネル１７０との距離を算出する指令を出力する。カメラ映像処理部１４０は、この指令を入力すると、拡大限界値に拡大しなかった全ての情報領域に対して最も遠い所にいる視認者と画像表示パネル１７０との距離を算出し、情報領域拡大縮小判定処理部１５０に出力する。
【００２３】
（ステップＳ１１０）
次いで、画像表示制御処理部１３０ａは、情報領域拡大縮小判定処理部１５０に対してステップＳ１０９で算出した拡大限界値に拡大しなかった全ての情報領域に対して最も遠い所にいる視認者と画像表示パネル１７０との距離に基づいて、拡大限界値に拡大しなかった情報領域を縮小する指令を出力する。画像処理部１６０は、この指令を入力すると、その情報領域の視認者で最も遠い所にいる人が視認可能となるサイズの文字または予め決められた初期サイズの文字のどちらか大きい方の文字となるように情報領域を縮小する。
【００２４】
（ステップＳ１１１）
次いで、画像表示制御処理部１３０ａは、画像表示パネル１７０に表示されている画像が変更されたかを判定する。表示された画像が変更されたとき（ステップＳ１１２のＹｅｓ）は、新たに画像の情報領域の拡大と縮小を行うステップＳ１０１に戻る。表示された画像が変更されていないとき（ステップＳ１１２のＮｏ）は、新たに視線情報と距離情報を取得し、画像の情報領域に対する拡大と縮小を行うステップＳ１０３に戻る。
【００２５】
このような本発明の実施形態により、拡大するときは、一時的に余白の部分を使用して情報領域を拡大することができる。一時的にその余白を使用して文字情報を拡大する例を図３に示す。図３に示すように、「ショッピングモール情報」１７０ａ、「本日のお勧めランチ」１７０ｂ、「イベント情報」１７０ｃ、及び「ニュースの見出し」１７０ｄの文字情報が表示され、「本日のお勧めランチ」１７０ｂの情報領域を拡大するときには、その余白を使用することで他の情報領域にかかることなく「本日のお勧めランチ」１７０ｂの情報領域を拡大することができる。また、縮小するときには、余白の部分を元に戻して縮小し、初期サイズの大きさより小さいサイズの文字とならないように縮小することができる。
【００２６】
このような本発明の実施形態における複数の情報領域を持つ画像を複数の視認者により視認されているときに、拡大または縮小する情報領域を適切に判断する例を図４を用いて説明する。まず、図４（１）に示すように、Ａさん、Ｂさん、Ｃさん、Ｄさん、及びＥさんが画像表示パネル１７０に表示された文字が同じサイズである同じ大きさ３つの情報領域（ア）、（イ）、（ウ）を視認すると、外付けカメラ３００により、Ａさん、Ｂさん、Ｃさん、Ｄさん、及びＥさんの顔映像が撮影される。このとき、Ａさん、Ｂさん、及びＣさんが近距離から情報領域（ウ）を視認し、Ｄさんが遠距離から情報領域（ア）を視認し、Ｅさんが遠距離から情報領域（イ）を視認している。このような場合では、図４（２）に示すように遠距離から視認されている情報領域（ア）及び情報領域（イ）が拡大され、近距離から視認されている情報領域（ウ）は縮小される。次に、Ｄさん画像表示パネル１７０に近づくことで近距離から情報領域（ア）を視認し、同様にＥさんが画像表示パネル１７０に近づくことで近距離から情報領域（イ）を視認するようになると、図４（３）に示すように一人の視認者により近距離から視認される情報領域（ア）及び情報領域（イ）が縮小され、３人の視認者により近距離から視認される情報領域（ウ）は拡大される。つまり、遠距離から視認される画像は拡大され、近距離から視認される画像は縮小される。また、視認される画像との距離が同じであれば、視認されている人数が多い情報領域は元の大きさの情報領域に戻され、視認されている人数が少ない情報領域が縮小されて表示される。
【００２７】
なお、本発明の実施形態では、情報領域の拡大を行ってから縮小するようにしたが、情報領域の縮小を行ってから拡大を行ってもよい。また、実施形態の表示装置１００に視認者の顔映像を撮影する外付けカメラ３００を接続するようにしたが、画像表示パネル１７０に内蔵カメラを設ける構造とし、この内蔵カメラが撮影した視認者の顔映像を表示装置１００が入力することも可能である。また、画像データから文字を検出することで画像の情報領域を定義するようにしたが、これに限定されず画像のコンテンツ情報などにより情報領域を定義することも可能である。また、視認者の眼の負担を軽減するために、画像の情報領域の文字を予め決められた時間当たりの比率で徐々に拡大または縮小させることも可能である。
【００２８】
このような本発明の実施形態の表示装置、及び表示装置の画像表示方法により、複数の情報領域が設けられている画像を複数の視認者によって視認されるときに、視認者と画像を表示する表示装置との距離に応じて拡大または縮小する情報領域を適切に判断することができる。
【００２９】
以上、具体的な実施形態により本発明を説明したが、上記の実施形態は本発明の例示であり、それらの各構成要素の組み合わせにいろいろな変形例が可能なこと、またそうした変形例も本発明の範囲にあることは当業者に理解されるところである。
【産業上の利用可能性】
【００３０】
本発明は、表示装置に好適であるが、画像を表示する機能を備えるあらゆる機器に適用可能である。
【符号の説明】
【００３１】
１００・・・・・表示装置
１１０・・・・・画像記憶部
１２０・・・・・メモリ部
１３０・・・・・制御部
１３０ａ・・・・画像表示制御処理部
１４０・・・・・カメラ映像処理部
１５０・・・・・情報領域拡大縮小判定処理部
１６０・・・・・画像処理部
１７０・・・・・画像表示パネル
２００・・・・・画像入力装置
３００・・・・・外付けカメラ装置
【図１】
2014063005.tif 000003
【図２】
2014063005.tif 000004
【図３】
2014063005.tif 000005
【図４】
2014063005.tif 000006